(57)【要約】【課題】自動停止のタイミングを把握し難くすることによって、停止操作を早期に完了するように促すことを可能にする。【解決手段】内部当籤役が自動停止役であるか否かを判定し、内部当籤役が自動停止役である場合、遊技を開始してから所定時間の経過後に、リール３Ｌ・３Ｃ・３Ｒにおける図柄の変動表示を停止ボタン７Ｌ・７Ｃ・７Ｒの操作による停止指令信号とは無関係に自動停止させる。【選択図】図１
2007275097.tif 000002
【特許請求の範囲】
【請求項１】
遊技を開始させる遊技開始手段と、
前記遊技の開始により複数の図柄を変動表示させる図柄表示手段と、
前記遊技の開始と遊技状態とに基づいて内部当籤役を抽籤により決定する内部当籤役決定手段と、
外部からの操作に基づいて停止指令信号を出力する停止操作手段と、
前記停止指令信号と前記内部当籤役とに基づいて前記図柄の変動表示を停止可能な停止制御手段と、
前記図柄の変動表示が停止された結果が所定の停止態様である場合に遊技価値を付与する遊技価値付与手段とを有しており、
前記停止制御手段は、
前記内部当籤役が自動停止役であるか否かを判定する判定手段と、
前記内部当籤役が自動停止役である場合、前記遊技を開始してから所定時間の経過後に、前記図柄の変動表示を前記停止指令信号とは無関係に自動停止させる自動停止手段とを有することを特徴とする遊技機。
【請求項２】
前記自動停止手段は、
前記遊技価値を付与する所定の停止態様とは異なる停止態様となるように、前記図柄の変動表示を自動停止させることを特徴とする請求項１に記載の遊技機。
【請求項３】
前記自動停止手段は、
所定の条件となったときに自動停止役を再設定する役設定手段を有することを特徴とする請求項１又は２に記載の遊技機。
【請求項４】
前記自動停止手段は、
前記自動停止するまでの前記所定時間を前記自動停止役の種類に応じて変更することを特徴とする請求項１乃至３の何れか１項に記載の遊技機。
【発明の詳細な説明】
【技術分野】
【０００１】
本発明は、図柄の変動表示を停止操作可能に遊技を行うパチス機やその他の遊技機に関する。
【背景技術】
【０００２】
従来、この種の遊技機としては、特許文献１に記載のものがある。具体的には、図柄の変動表示を停止する停止ボタンを有しており、遊技が開始されてからの時間を計測すると共に、遊技者による停止ボタンの停止操作を監視し、一定時間以上に亘って遊技者が停止操作を行わないと、停止操作とは無関係に変動表示を自動停止させるように構成されている。
【０００３】
【特許文献１】特開２００３−２３６０５６号公報
【発明の開示】
【発明が解決しようとする課題】
【０００４】
しかしながら、上記従来の構成では、毎回の遊技において常に一定のタイミングで自動停止が行われるため、自動停止のタイミングが遊技者に把握され易く、このタイミングを一度把握すれば、例えば自動停止する直前まで時間をかけながら目押し等の停止操作を行うことが可能になる。そして、このように時間をかけて遊技を行うようになると、遊技機の稼働率が低下すると共に、図柄を変動表示させる駆動機構の動作時間が長くなるため、磨耗やモータの焼き付き等に起因した故障が起こり易いという問題がある。
【０００５】
そこで、本発明の目的は、自動停止のタイミングを把握し難くすることによって、停止操作を早期に完了するように促すことを可能にする遊技機を提供することにある。
【課題を解決するための手段及び効果】
【０００６】
本発明の遊技機は、遊技を開始させる遊技開始手段と、前記遊技の開始により複数の図柄を変動表示させる図柄表示手段（モータ等を用いた機械的な変動表示でも、液晶表示装置等を用いた電気的な変動表示でもよい）と、前記遊技の開始と遊技状態とに基づいて内部当籤役を抽籤により決定する内部当籤役決定手段と、外部からの操作に基づいて停止指令信号を出力する停止操作手段と、前記停止指令信号と前記内部当籤役とに基づいて前記図柄の変動表示を停止可能な停止制御手段と、前記図柄の変動表示が停止された結果が所定の停止態様である場合に遊技価値を付与する遊技価値付与手段とを有しており、前記停止制御手段は、前記内部当籤役が自動停止役であるか否かを判定する判定手段と、前記内部当籤役が自動停止役である場合、前記遊技を開始してから所定時間の経過後に、前記図柄の変動表示を前記停止指令信号とは無関係に自動停止させる自動停止手段とを有する構成である。
【０００７】
上記の構成によれば、内部当籤役が自動停止役である場合にだけ、遊技を開始してから所定時間の経過後に、図柄の変動表示が自動停止される。これにより、不定期に自動停止されるため、遊技者においては自動停止のタイミングを把握することが困難となり、例えば停止操作手段の操作により図柄の変動表示を所定の図柄で停止させる目押し操作を行っている遊技者に対して、停止操作手段の操作を早期に完了するように促すことができる場合がある。この結果、遊技機の稼働率を向上させることができる場合があると共に、駆動機構の磨耗やモータの焼き付き等に起因した故障を引き起こし難くすることが可能になる場合がある。
【０００８】
また、本発明における前記自動停止手段は、前記遊技価値を付与する所定の停止態様とは異なる停止態様となるように、前記図柄の変動表示を自動停止させるものでもよい。
【０００９】
上記の構成によれば、自動停止によっては遊技価値が付与されないことから、一層遊技者に対して停止操作手段の操作を促すことが可能になり、ひいては、遊技機の稼働率を向上させることができると共に、駆動機構の故障を引き起こし難くすることが可能になる場合がある。
【００１０】
また、本発明における前記自動停止手段は、所定の条件（遊技状態の変化や電源投入時、リセット時、ホールコンピュータからの指令時等）となったときに自動停止役を再設定する役設定手段を有するものでもよい。
【００１１】
上記の構成によれば、所定の条件となったときに自動停止図柄を再設定することによって、自動停止する頻度を変更することが可能になる。この結果、自動停止のタイミングの把握をより困難にすることによって、一層遊技者に対して停止操作手段の操作を促すことが可能になり、ひいては、遊技機の稼働率を向上させることができると共に、駆動機構の故障を引き起こし難くすることが可能になる場合がある。
【００１２】
また、本発明における前記自動停止手段は、前記自動停止するまでの前記所定時間を前記自動停止役の種類に応じて変更するものでもよい。
【００１３】
上記の構成によれば、自動停止するまでの所定時間を自動停止役の種類に応じて変更することによって、自動停止するタイミングを変更することが可能になる。この結果、自動停止のタイミングの把握をより困難にすることによって、一層遊技者に対して停止操作手段の操作を促すことが可能になり、ひいては、遊技機の稼働率を向上させることができると共に、駆動機構の故障を引き起こし難くすることが可能になる場合がある。
【発明を実施するための最良の形態】
【００１４】
本発明の実施の形態を図１ないし図１３に基づいて以下に説明する。
【００１５】
本実施の形態にかかる遊技機は、所謂『パチスロ機』であり、内部当籤役が自動停止役である場合に、遊技を開始してから所定時間の経過後に、図柄の変動表示を遊技者による停止操作とは無関係に自動停止させるように構成されている。以下において、遊技機の構成を具体的に説明する。尚、遊技機は、コインやメダル、遊技球、トークン等の他、遊技者に付与された、もしくは付与される遊技価値の情報を記憶したカード等の遊技媒体を用いて遊技するものであるが、以下の説明においては、メダルを用いるものとして説明する。
【００１６】
（遊技機１の機械的構成）
図１は、遊技機１の外観を示す斜視図である。遊技機１は、遊技機１の全体を形成しているキャビネット２を有している。キャビネット２には、液晶表示装置５が正面側に設けられていると共に、３つの回転リール３Ｌ・３Ｃ・３Ｒが液晶表示装置５の裏面側に設けられている。液晶表示装置５は、回転リール３Ｌ・３Ｃ・３Ｒの図柄等を前面側から視認するように構成されていると共に、遊技に関連する内容（例えば内部当籤役に応じた予兆画像等）や図示しない演出図柄等の画像データを表示するように構成されている。
【００１７】
即ち、液晶表示装置５は、図２に示すように、透過性を有した正面パネル１３１と、正面パネル１３１の裏面側に設けられた透明液晶パネル１３４とを備えている。正面パネル１３１は、図３に示すように、透明な表示窓１３１ａと、絵柄が描かれた絵柄形成領域１３１ｂとを有している。表示窓１３１ａは、回転リール３Ｌ・３Ｃ・３Ｒの図柄や透明液晶パネル１３４の画像を透過することにより遊技機１の前面側から視認可能にしている。これにより、表示窓１３１ａの中央部には、回転リール３Ｌ・３Ｃ・３Ｒの図柄が表示される。また、表示窓１３１ａの下部には、透明液晶パネル１３４の一部が区画領域として設定され、この区画領域内に自動停止に関係する演出画像１０１が表示されるようになっている。
【００１８】
尚、演出画像１０１が表示される区画領域には、回転リール３Ｌ・３Ｃ・３Ｒの図柄を用いて遊技するスロットゲームに関係する演出画像が表示されてもよいし、スロットゲームとは別のビデオゲームの画像が表示されてもよい。また、本実施の形態においては、液晶表示装置５が回転リール３Ｌ・３Ｃ・３Ｒの前面に設けられている場合について説明するが、本発明において、液晶表示装置５が設けられる位置は、特に限定されるものではない。
【００１９】
図２に示すように、液晶表示装置５の背面側に設けられた回転リール３Ｌ・３Ｃ・３Ｒは、それぞれその外周面に複数の図柄からなる図柄列が記されている。図柄列は、「００」〜「２０」のコードナンバーが付された複数種類の図柄からなっている。具体的には、「赤７」、「青７」、「下チリ」、「ベル」、「スイカ」、「Ｒｅｐｌａｙ」及び「上チリ」の図柄からなっている。各リールは、定速回転（例えば８０回転／分）で回転する。上記の図柄列中における「赤７」、「青７」は、特定の入賞態様を構成するものとして設定されている。ここで、特定の入賞態様とは、後述のＢＢやＲＢのボーナスが成立する入賞態様を意味する。
【００２０】
回転リール３Ｌ・３Ｃ・３Ｒの各図柄は、図３に示すように、キャビネット２の正面から液晶表示装置５を介して、回転リール３Ｌ・３Ｃ・３Ｒの図柄が縦方向に３つずつ、合計９つの図柄を視認できるようになっている。また、視認可能な９つの図柄の停止位置に対応して、５本の入賞ラインが設定されている。即ち、上下方向に３つ並ぶ図柄を水平に横切るトップライン８ｂ、センターライン８ｃ及びボトムライン８ｄ、斜め方向にクロスダウンライン８ａ、クロスアップライン８ｅが設けられている。
【００２１】
これらの入賞ラインは、図１に示す後述の１−ＢＥＴボタン１１、最大ＢＥＴボタン１３を操作すること、或いはメダル投入口２２にメダルを投入することにより、１枚賭け時は１本（センターライン８ｃのみ）、２枚賭け時（１−ＢＥＴボタン１１を２回操作（押圧）又は、メダルを２枚投入）は３本（センターライン８ｃに加え、トップライン８ｂ、ボトムライン８ｄ）、最大枚数（本実施例では３枚）賭け時は５本（２枚賭け時の３本に加え、クロスダウンライン８ａ、クロスアップライン８ｅ）が有効化される。入賞ライン８ａ〜８ｅは、役の入賞の成否に関わる。具体的には、所定の役に対応する図柄組合せを構成する図柄が何れかの有効化された入賞ラインに対応する所定の位置に並んで停止表示されることにより、所定の役の入賞が成立することとなる。
【００２２】
液晶表示装置５の左側の背面側には、遊技開始表示ランプ２５、当り表示ランプ（所謂「ＷＩＮランプ」）１７、メダル投入ランプ２４、１−ＢＥＴランプ９ａ、２−ＢＥＴランプ９ｂ及び最大ＢＥＴランプ９ｃの各種ランプと、払出枚数表示部１８、クレジット表示部１９及び役物作動（ボーナス）回数表示部２０の各種表示部とが設けられている。これらランプも、回転リール３Ｌ・３Ｃ・３Ｒと同様に、キャビネット２の正面から液晶表示装置５を介して、視認できるようになっている。
【００２３】
１−ＢＥＴランプ９ａ、２−ＢＥＴランプ９ｂ及び最大ＢＥＴランプ９ｃは、一の遊技（単位遊技）を行うために賭けられたメダルの数（以下、ＢＥＴ数ともいう）に応じて点灯する。尚、一の遊技は、全ての回転リールが停止したとき、又は、メダルの払い出しが行われる場合には、メダルが払い出されたときに終了する。
【００２４】
ＷＩＮランプ１７は、ＢＢ（ビッグボーナス）又はＲＢ（レギュラーボーナス）に内部当籤した場合に所定確率で点灯し、また、ＢＢ又はＲＢの入賞が成立した場合にも点灯する。メダル投入ランプ２４は、メダルの投入が受け付け可能であるときに点滅する。遊技開始表示ランプ２５は、入賞ライン８ａ〜８ｅの少なくとも１本が有効化されたときに点灯する。
【００２５】
払出枚数表示部１８は、入賞成立時のメダルの払出枚数を表示するものであり、クレジット表示部１９は、貯留されているメダルの枚数を表示するものであり、役物作動回数表示部２０は、後で説明するＢＢ一般遊技状態におけるゲームの回数等を表示する。これらの表示部は、７セグメント表示器からなるものである。
【００２６】
図１に示すように、液晶表示装置５の下方には、水平面を有する台座部１０が形成されており、台座部１０の右側には、メダル投入口２２が設けられ、台座部１０の左側には、１−ＢＥＴボタン１１及び最大ＢＥＴボタン１３が設けられている。１−ＢＥＴボタン１１は、１回の押し操作により、クレジットされているメダルのうちの１枚を遊技への賭け枚数とし、２回の押し操作により、クレジットされているメダルのうちの２枚を遊技への賭け枚数とする。最大ＢＥＴボタン１３は、１回の遊技に賭けることが可能な最大枚数を遊技への賭け枚数とする。これらＢＥＴボタン１１・１３を操作することで、上述の入賞ライン８ａ〜８ｅが有効化されるようになっている。
【００２７】
台座部１０の前面部の左端には、遊技者が獲得したメダルのクレジット／払い出しを押し操作により切り替える貯留メダル精算ボタン１４（以下、Ｃ／Ｐボタン１４と言う）が設けられている。このＣ／Ｐボタン１４の切り替えにより「払い出し」が選択された場合には、正面下部のメダル払出口１５からメダルが払い出され、払い出されたメダルはメダル受部１６に溜められる。一方、「クレジット」が選択された場合には、遊技機１が備えるメモリ（例えば、後述するＲＡＭ３３等）にメダル数がクレジットとして記憶される。Ｃ／Ｐボタン１４の右側には、遊技者の操作により回転リール３Ｌ・３Ｃ・３Ｒを回転させるためのスタートレバー６が所定の角度範囲で回動自在に取り付けられている。
【００２８】
台座部１０の前面部中央には、３個の回転リール３Ｌ、３Ｒ、３Ｃの回転をそれぞれ停止させるための３個の停止ボタン７Ｌ・７Ｃ・７Ｒが設けられている。停止ボタン７Ｌ・７Ｃ・７Ｒの右側には、ドア開閉及び打ち止め解除装置２８が設けられている。このドア開閉及び打ち止め解除装置２８は、所定の鍵を用いて、右に回すことにより前面ドアの開閉を行い、左に回すことにより打ち止め解除を行う。
【００２９】
キャビネット２の上方の左右には、スピーカ２１Ｌ・２１Ｒが設けられ、その２台のスピーカ２１Ｌ・２１Ｒの間には、入賞図柄の組合せ及びメダルの配当枚数等を表示する配当表パネル２３が設けられている。また、スピーカ２１Ｌ・２１Ｒや配当表パネル２３の上方にはＬＥＤランプ２９が設けられており、後述の遊技状態に応じた演出に伴い、点滅等するようになっている。
【００３０】
（液晶表示装置５の構成）
次に、液晶表示装置５の具体的構成について説明する。液晶表示装置５は、上記の配当表パネル２３の下方に配置されている。液晶表示装置５は、図２に示すように、保護ガラス１３２と表示板１３３とからなる正面パネル１３１、透明液晶パネル１３４、導光板１３５、反射フィルム１３６、所謂白色光源である蛍光ランプ１３７ａ・１３７ｂ・１３８ａ・１３８ｂ、ランプホルダ１３９ａ〜１３９ｈ、及び、透明液晶パネル駆動用のＩＣを搭載したテーブルキャリアパッケージ（ＴＣＰ）からなり、ＴＣＰは、透明液晶パネル１３４の端子部に接続したフレキシブル基板（図示せず）等により構成される。この液晶表示装置５は、既に述べたように、回転リール３Ｌ・３Ｃ・３Ｒの表示領域より手前側に設けられている。また、この回転リール３Ｌ・３Ｃ・３Ｒと液晶表示装置５とは、所定の間隔をあけて設けられている。
【００３１】
保護ガラス１３２及び表示板１３３は、透明な部材で構成されている。表示板１３３には、上述のＢＥＴランプ９ａ〜９ｃ等に対応する位置に絵柄等が形成されている。即ち、表示板１３３の絵柄等が形成されている領域が、正面パネル１３１における絵柄形成領域１３１ｂであり、表示板１３３の絵柄等が形成されていない領域が、正面パネル１３１における表示窓１３１ａである。尚、正面パネル１３１に絵柄形成領域１３１ｂを形成せず、正面パネル１３１の全面を表示窓１３１ａとしてもよい。この場合、表示板１３３に絵柄を形成しないか、又は、表示板１３３を省略すればよい。尚、表示板１３３の裏面側に配置される各種ランプ及び各種表示部を動作させる電気回路等は図示していない。
【００３２】
透明液晶パネル１３４は、薄膜トランジスタ層が形成されたガラス板等の透明な基板と、これに対向する透明な基板との間隙部に液晶が封入されて形成されている。この透明液晶パネル１３４の表示モードは、ノーマリーホワイトに設定されている。ノーマリーホワイトとは、液晶を駆動していない状態で白表示（表示面側に透過した光が外部より視認可能である）となる構成である。ノーマリーホワイトに構成された透明液晶パネル１３４を採用することにより、液晶を駆動することができない事態が生じた場合であっても、回転リール３Ｌ・３Ｃ・３Ｒに表示された図柄等の識別情報の可変表示及び停止表示を視認することができ、スロットゲームを継続することができる。即ち、そのような事態が発生した場合でも、回転リール３Ｌ・３Ｃ・３Ｒに表示された識別情報の変動表示態様及び停止表示態様を中心としたスロットゲームを行うことができる。
【００３３】
導光板１３５は、蛍光ランプ１３７ａ・１３７ｂからの光を透明液晶パネル１３４へ導き出す（透明液晶パネル１３４を照明する）ためのものであり、透明液晶パネル１３４の裏側に設けられ、例えば、２ｃｍ程度の厚さを有するアクリル系樹脂等の透明部材（導光機能を有する）で構成されている。
【００３４】
反射フィルム１３６は、例えば、白色のポリエステルフィルムやアルミ薄膜に銀蒸着膜を形成したものが用いられ、導光板１３５に導入された光を導光板１３５の正面側へ向けて反射させる。この反射フィルム１３６は、反射領域１３６Ａ及び非反射領域（透過領域）１３６Ｂにより構成されている。
【００３５】
蛍光ランプ１３７ａ・１３７ｂは、導光板１３５の上端部及び下端部に沿って配置され、両端はランプホルダ１３９により支持されている。この蛍光ランプ１３７ａ、１３７ｂから照射される光は、反射フィルム１３６の反射領域１３６Ａで反射して透明液晶パネル１３４を照明する。
【００３６】
蛍光ランプ１３８ａ・１３８ｂは、反射フィルム１３６の裏側の上方位置及び下方位置に回転リール３Ｌ・３Ｃ・３Ｒに向かって配置されている。この蛍光ランプ１３８ａ・１３８ｂから出て回転リール３Ｌ・３Ｃ・３Ｒの表面で反射して非反射領域１３６Ｂへ入射した光は、透明液晶パネル１３４を照明する。
【００３７】
このように、液晶表示装置５においては、蛍光ランプ１３７ａ・１３７ｂから照射され、反射フィルム１３６の反射領域１３６Ａで反射した光と、蛍光ランプ１３８ａ・１３８ｂから照射され、回転リール３Ｌ・３Ｃ・３Ｒの表面で反射して非反射領域１３６Ｂへ入射した光とが、透明液晶パネル１３４を照明する。従って、反射フィルム１３６の非反射領域１３６Ｂに対応する液晶表示装置５の領域は、液晶を駆動しているか否かによって、透明／非透明の状態に切り替わる領域であり、反射フィルム１３６の反射領域１３６Ａに対応する液晶表示装置の領域は、液晶を駆動しているか否かに拘わらず非透明状態となる。
【００３８】
遊技機１では、液晶表示装置５の一部の領域のみが、透明／非透明の状態に切り替わる領域であるが、本実施の形態の遊技機１において、液晶表示装置５の表示画面は、その全領域が透明／非透明の状態に切り替わる領域であってもよい。この場合、遊技機１において、液晶表示装置５の全領域を透過状態又は非透過状態に切り替わる領域とする場合、反射フィルム１３６を全て非反射領域１３６Ｂとするか、反射フィルム１３６を省略すればよい。
【００３９】
（遊技機１の電気的構成：主制御回路７１）
上記のように構成された遊技機１は、図４に示すように、主基板に設けられた主制御回路７１と、副基板に設けられた副制御回路７２とで動作が制御されている。主制御回路７１は、回路基板上に配置されたマイクロコンピュータ３０を主たる構成要素とし、これに乱数サンプリングのための回路を加えて構成されている。マイクロコンピュータ３０は、予め設定されたプログラムに従って制御動作を行うＣＰＵ３１と、主基板側記憶手段であるＲＯＭ３２及びＲＡＭ３３を有している。
【００４０】
ＣＰＵ３１には、基準クロックパルスを発生するクロックパルス発生回路３４及び分周器３５と、サンプリングされる乱数を発生する乱数発生器３６及びサンプリング回路３７とが接続されている。乱数発生器３６は、一定の数値範囲に属する乱数を発生する。サンプリング回路３７は、スタートレバー６が操作された後の適宜のタイミングで１個の乱数をサンプリングする。そして、ＣＰＵ３１は、これらの乱数発生器３６及びサンプリング回路３７でサンプリングされた乱数及びＲＯＭ３２内に格納されている確率抽籤テーブルに基づいて、内部当籤役を決定するようになっている。
【００４１】
尚、乱数サンプリングのための手段として、マイクロコンピュータ３０内で、即ち、ＣＰＵ３１の動作プログラム上で乱数サンプリングを実行するように構成しても良い。その場合、乱数発生器３６及びサンプリング回路３７は省略可能であり、或いは、乱数サンプリング動作のバックアップ用として残しておくことも可能である。
【００４２】
主制御回路７１のＲＡＭ３３には、種々の情報が一時的に格納される。例えば、遊技状態、一の遊技におけるメダル投入数、一の遊技におけるメダル払出数、メダルの差枚数を累積した差枚数カウント値、スロットゲームの累積回数を示す遊技累積値等が格納される。
【００４３】
一方、主制御回路７１のＲＯＭ３２には、スタートレバー６を操作（スタート操作）する毎に行われる乱数サンプリングの判定に用いられる確率抽籤テーブルや停止ボタンの操作に応じてリールの停止態様を決定するための停止テーブル群等の各種のデータテーブルと、副制御回路７２へ送信するための各種制御指令（コマンド）等が格納されている。また、ＲＯＭ３２には、後述のメインルーチン等の各処理ルーチンを実行するプログラム等が格納されている。
【００４４】
上記のマイクロコンピュータ３０からの制御信号により動作が制御される主要なアクチュエータとしては、各種ランプ（１−ＢＥＴランプ９ａ、２−ＢＥＴランプ９ｂ、最大ＢＥＴランプ９ｃ、ＷＩＮランプ１７、メダル投入ランプ２４、遊技開始表示ランプ２５）と、各種表示部（払出枚数表示部１８、クレジット表示部１９、役物作動回数表示部２０）と、メダルを収納し、ホッパー駆動回路４１の命令により所定枚数のメダルを払出す遊技価値付与手段としてのホッパー（払出しのための駆動部を含む）４０と、リール３Ｌ・３Ｃ・３Ｒを回転駆動するステッピングモータ４９Ｌ・４９Ｃ・４９Ｒとがある。
【００４５】
さらに、ステッピングモータ４９Ｌ・４９Ｃ・４９Ｒを駆動制御するモータ駆動回路３９、ホッパー４０を駆動制御するホッパー駆動回路４１、各種ランプを駆動制御するランプ駆動回路４５、及び各種表示部を駆動制御する表示部駆動回路４８がＩ／Ｏポート３８を介してＣＰＵ３１の出力部に接続されている。これらの駆動回路は、それぞれＣＰＵ３１から出力される駆動指令等の制御信号を受けて、各アクチュエータの動作を制御する。
【００４６】
また、主制御回路７１は、制御指令を発生するために必要な入力信号を発生する入力信号発生手段に接続されている。主な入力信号発生手段としては、スタートスイッチ６Ｓ、１−ＢＥＴスイッチ１１Ｓ、最大ＢＥＴスイッチ１３Ｓ、Ｃ／Ｐスイッチ１４Ｓ、投入メダルセンサ２２Ｓ、リール停止信号回路４６、リール位置検出回路５０、払出完了信号回路５１、自動停止時間設定部５２がある。これらもＩ／Ｏポート３８を介してＣＰＵ３１に接続されている。
【００４７】
スタートスイッチ６Ｓは、スタートレバー６の操作を検出する。投入メダルセンサ２２Ｓは、メダル投入口２２に投入されたメダルを検出する。リール停止信号回路４６は、各停止ボタン７Ｌ・７Ｃ・７Ｒの操作に応じてリール停止信号（停止指令信号）を発生する。このリール停止信号は、スロットゲーム時には、各リール３Ｌ・３Ｃ・３Ｒを停止させる指令信号として機能する。
【００４８】
リール位置検出回路５０は、リール回転センサからのパルス信号を受けて各リール３Ｌ・３Ｃ・３Ｒの位置を検出するための信号をＣＰＵ３１へ供給する。払出完了信号回路５１は、メダル検出部４０ｓの計数値（ホッパー４０から払出されたメダルの枚数）が指定された枚数データに達した時、メダル払出完了を検知するための信号を発生する。自動停止時間設定部５２は、内部当籤役毎に個別に自動停止時間を設定可能なスイッチ群であり、例えば、『ハズレ』については３０秒の自動停止時間を設定し、『上チリの小役』については４０秒等の所望の自動停止時間を設定することを可能にしている。
【００４９】
（遊技機１の電気的構成：副制御回路７２）
上記の主制御回路７１は、副制御回路７２にコマンドや情報等を一方向に出力可能に接続されている。副制御回路７２は、図５に示すように、主制御回路７１からの制御指令（コマンド）に基づいて液晶表示装置５の表示制御、スピーカ２１Ｌ・２１Ｒからの音の出力制御及びＬＥＤランプ２９の出力制御等の演出を行なうようになっている。
【００５０】
副制御回路７２は、主制御回路７１を構成する主基板とは別の副基板上に構成され、マイクロコンピュータ（以下『サブマイクロコンピュータ』という）７３を主たる構成要素とし、液晶表示装置５の表示制御手段としての画像制御回路８１、スピーカ２１Ｌ・２１Ｒにより出音される音を制御する音源ＩＣ７８、及び増幅器としてのパワーアンプ７９、ＬＥＤランプ２９を駆動するＬＥＤ駆動回路７７を備えている。
【００５１】
サブマイクロコンピュータ７３は、主制御回路７１から送信された制御指令に従って制御動作を行うサブＣＰＵ７４と、副基板側記憶手段としてのプログラムＲＯＭ７５と、ワークＲＡＭ７６とを含む。プログラムＲＯＭ７５は、サブＣＰＵ７４で実行する自動停止報知ルーチン等の制御プログラムを格納している。
【００５２】
また、プログラムＲＯＭ７５は、制御プログラムの実行時に用いられる各種のデータを格納している。具体的には、内部当籤役に応じた自動停止時間の時間データや自動停止を報知する自動停止報知画像となる画像データ、演出用の画像データ等を格納している。また、ワークＲＡＭ７６は、上記制御プログラムをサブＣＰＵ７４で実行するときの一時記憶手段として構成され、演出処理ルーチン実行時の一時記憶手段としての演出処理領域を備える。例えば、ワークＲＡＭ７６は、主制御回路７１から受け取った内部当籤役や入賞が不成立であったスロットゲームの連続回数を示す遊技カウント数等のデータを一時的に記憶する。
【００５３】
尚、副制御回路７２は、クロックパルス発生回路、分周器、乱数発生器及びサンプリング回路を備えていないが、サブＣＰＵ７４の動作プログラム上で乱数サンプリングを実行するように構成されている。この乱数サンプリングにより、ＣＳ、ＮＳ等を発生させるかどうかが決定される。
【００５４】
画像制御回路８１は、画像制御ＩＣ８２や画像制御ワークＲＡＭ８３、画像ＲＯＭ８６、及びビデオＲＡＭ８７を備えている。画像制御ワークＲＡＭ８３は、画像制御プログラムを画像制御ＩＣ８２で実行するときの一時記憶手段（バッファ）として構成される。画像ＲＯＭ８６は、上述の自動停止用やゲーム演出用等の画像データを格納する。画像データは、図１に示すように、演出画像１０１を生成するためのパーツとなるデータであり、これら画像データの１つ以上の組み合わせにより、演出画像１０１を表示可能にしている。
【００５５】
ビデオＲＡＭ８７は、画像制御ＩＣ８２で画像を形成するときの一時記憶手段として構成されている。ビデオＲＡＭ８７は、液晶表示装置５の画面全体に対応した表示データ領域を有しており、この表示データ領域に画像データが格納されたときに、表示データ領域に対応する液晶表示装置５の表示位置に画像データを画面表示させる。表示データ領域には、演出画像領域が形成されており、演出画像領域は、スロットゲーム時に演出画像１０１を表示出力する領域として設定されている。画像制御ＩＣ８２は、サブマイクロコンピュータ７３で設定されたパラメータに基づき、画像制御プログラムに従って液晶表示装置５での表示内容を決定する。
【００５６】
（演出画像１０１）
自動停止に関係する演出画像１０１について説明する。この演出画像１０１は、図１、図３及び図４に示すように、液晶表示装置５の表示画面の下側に表示される。具体的には、自動停止の作動中においては『ドンちゃん』のキャラクタ画像１０２と『砂時計』のキャラクタ画像１０３とが表示される。そして、自動停止後においては、『ドンちゃん』のキャラクタ画像１０２と『時間切れだよ！』の文字画像１０４とが表示される。これにより、演出画像１０１は、遊技を開始してから所定時間の経過後に、図柄の変動表示が自動停止されることを遊技者に報知することが可能になる。この結果、目押し操作や時間をかけて遊技を行っている遊技者に対して、停止ボタン７Ｌ・７Ｃ・７Ｒの操作を早期に完了するように促すことが可能になる。従って、遊技機の稼働率を向上させることができると共に、駆動機構の磨耗やモータの焼き付き等に起因した故障を引き起こし難くすることが可能になる。さらに、自動停止が機械の故障でなく、何らかの操作によりそのようになったと理解することができるため、間違って遊技者が故障等と勘違いしたり、その報知までの操作を振り返ってどのような操作をすると自動停止するのかを早い段階で分析できる可能性がある。
【００５７】
尚、本実施形態においては、自動停止するまでの間に、演出画像１０１を用いて報知するようになっているが、これに限定されるものではなく、その他の表示や音によって、そのスロットゲームが自動停止することを予め報知するように構成されていてもよい。また、本実施形態においては、自動停止中に自動停止する旨の演出画像１０１が表示されるようになっているが、これに限定されるものではなく、演出画像１０１を表示することなく突然に自動停止してもよい。さらには、演出画像１０１を表示するか否かを抽籤し、当籤したときにだけ演出画像１０１を表示するようになっていてもよい。
【００５８】
（主制御回路７１のデータテーブル：停止テーブル群）
次に、図６及び図７を参照して、遊技状態と、内部当籤役と、選択される停止テ−ブル群との関係について説明する。停止テーブル群とは、リール３Ｌ・３Ｃ・３Ｒの停止制御の際に選択されるものである。
【００５９】
ここで、選択される停止テーブル群の内容は、基本的に、遊技状態、内部当籤役等に応じて変化し得るものであるが、本実施の形態では、停止テーブル群の欄に示すテーブル群の名称を、基本的に入賞の可能性の有無及びその可能性がある役の種類に基づいて定めている。このため、本実施の形態では、同一の名称の停止テーブル群が選択されたとしても、常にリール３Ｌ・３Ｃ・３Ｒの停止態様までもが一致するわけではない。
【００６０】
入賞不成立停止テーブル群が選択された場合には、内部当籤役、遊技状態に拘らず、何れの役の入賞も成立することはない。入賞成立可能停止テーブル群が選択された場合には、対応する役の入賞成立は可能であるが、その他の役の入賞成立を実現することは基本的にできない。例えば、『スイカ入賞成立可能停止テーブル群』が選択された場合には、『スイカの小役』の入賞成立を実現しうるが、ＢＢ等の他の役の入賞成立を実現することはできない。また、『再遊技入賞成立可能停止テーブル群』が選択された場合には、『再遊技』の入賞成立を実現しうるが、他の役の入賞成立を実現することはできない。
【００６１】
図６に示すように、一般遊技状態においてボーナス（ＲＢ，ＢＢ）に内部当籤した場合には、入賞成立可能停止テーブル群が選択される。このため、ボーナスの入賞成立を実現することが可能である。
【００６２】
図７に示すように、ＢＢ一般遊技状態及びＲＢ遊技状態では、図示の停止テーブル群が選択され、リール３Ｌ・３Ｃ・３Ｒの停止制御が行われる。具体的には、ＲＢや役物が内部当籤すれば（ＲＢの場合、ＪＡＣＩＮ）、それぞれに対応した入賞成立可能停止テーブル群が選択される。
【００６３】
（主制御回路７１のデータテーブル：自動停止役選択テーブル）
次に、図８を参照して自動停止役選択テーブルについて説明する。自動停止役選択テーブルは、遊技状態が変化する毎に実行される自動停止役抽籤処理において選択されるものである。尚、このデータテーブルの選択は、単位遊技毎に行われてもよいし、ホールコンピュータからの指令により行われてもよい。さらには、遊技機１の内部に選択設定スイッチを設けておき、この選択設定スイッチの操作により選択と非選択とが切り替え可能にされていてもよい。
【００６４】
自動停止選択テーブルは、自動停止役欄と選択欄と選択確率欄とを有している。自動停止役欄は、内部当籤役と同一の役からなっており、『ハズレ』、『上チリの小役』、『下チリの小役』、『ベルの小役』、『スイカの小役』、『再遊技』、『ＲＢ』、『ＢＢ』及び『役物』を有している。選択欄は、選択データを示す“１”と非選択を示す“０”との何れかを格納する。例えば、『ハズレ』に対応する選択欄に選択“１”が格納されていれば、『ハズレ』に内部当籤したときに、自動停止が実行されることになる。ここで、自動停止とは、遊技を開始してから自動停止時間の経過後に、リール３Ｌ・３Ｃ・３Ｒを回転させることによる図柄の変動表示を停止ボタン７Ｌ・７Ｃ・７Ｒの操作によるリール停止信号（停止指令信号）とは無関係に停止させる処理である。一方、『ハズレ』に対応する選択欄に非選択“０”が格納されていれば、『ハズレ』に内部当籤したときに、自動停止が実行されることはない。また、選択確率欄は、選択及び非選択を抽籤する確率を示すものであり、例えば、ホールコンピュータや内部スイッチ等により抽籤確率を変更可能にされている。尚、選択確率欄における選択及び非選択の設定は、遊技機１の内部に設けられた設定スイッチにより行われてもよい。
【００６５】
（副制御回路７２のデータテーブル：自動停止時間設定テーブル）
次に、図９を参照して自動停止時間設定テーブルについて説明する。自動停止時間設定テーブルは、内部当籤役欄と自動停止時間欄とを有している。内部当籤役欄は、『ハズレ』、『上チリの小役』、『下チリの小役』、『ベルの小役』、『スイカの小役』、『再遊技』、『ＲＢ』、『ＢＢ』及び『役物』からなる内部当籤役を有している。自動停止時間欄は、遊技を開始してから自動停止するまでの時間を格納している。例えば、『ハズレ』について３０秒が設定されていれば、『ハズレ』に内部当籤して自動停止が実行されると、遊技を開始してから３０秒の経過後に自動停止することになる。尚、自動停止時間は、図４の自動停止時間設定部５２の設定値を読み取ることにより設定されるが、ホールコンピュータからの指令により設定されてもよい。
【００６６】
（遊技状態）
以上のように構成された遊技機１は、『一般遊技状態』、『ＢＢ一般遊技状態』および『ＲＢ遊技状態』からなる３種類の遊技状態を出現させる。これら「３種類」の各遊技状態は、基本的に、内部当籤する可能性のある役の種類、再遊技に内部当籤する確率及び入賞成立を実現することが可能なボーナスの種別、内部当籤と入賞成立との関係により区別される。
【００６７】
各遊技状態の特徴、即ち、各遊技状態において内部当籤する役の種類等については後述する。また、各遊技状態間の移行は、ボーナス図柄の組み合わせが入賞ライン上に表示されたとき等により移行する。
【００６８】
ここで、ＢＢの入賞成立を契機として発生し、『ＢＢ一般遊技状態』及び『ＲＢ遊技状態』により構成される遊技状態を総称して、以下『ボーナスゲーム（ＢＢ遊技状態）』という。ＢＢの入賞は、一般遊技状態において「青７−青７−青７」又は「赤７−赤７−赤７」が有効ラインに沿って並ぶことにより成立する。ＢＢの入賞が成立した後、遊技状態がＢＢ一般遊技状態となる。ＲＢの入賞は、一般遊技状態において「赤７−赤７−青７」が有効ラインに沿って並ぶこと、又はＢＢ一般遊技状態において「Ｒｅｐｌａｙ−Ｒｅｐｌａｙ−Ｒｅｐｌａｙ」が有効ラインに沿って並ぶことにより成立する。ＢＢ一般遊技状態においてＲＢの入賞が成立することを、一般に『ＪＡＣＩＮ』と称する。ＲＢの入賞が成立した後、遊技状態がＲＢ遊技状態となる。
【００６９】
リプレイ役（再遊技）の入賞は、一般遊技状態において「Ｒｅｐｌａｙ−Ｒｅｐｌａｙ−Ｒｅｐｌａｙ」が並ぶことにより成立する。リプレイ役の入賞が成立すると、投入したメダルの枚数と同数のメダルが自動投入されるので、遊技者はメダルを消費することなく次回のスロットゲームを行うことができる。
【００７０】
また、一般遊技状態及びＢＢ一般遊技状態では、『上チリの小役』、『下チリの小役』、『スイカの小役』及び『ベルの小役』の入賞成立を実現することが可能である。役物の入賞は、ＲＢ遊技状態において「Ｒｅｐｌａｙ−Ｒｅｐｌａｙ−Ｒｅｐｌａｙ」、「赤７−Ｒｅｐｌａｙ−Ｒｅｐｌａｙ」又は「青７−Ｒｅｐｌａｙ−Ｒｅｐｌａｙ」が並ぶことにより成立する。役物の入賞成立回数が「８回」となったとき、又は、１２回の遊技が終了したとき、遊技状態が移行する。ここで、役物の入賞が成立する可能性のあるＲＢ遊技状態のスロットゲームは、一般に『ＪＡＣゲーム』と称される。
【００７１】
次に、入賞成立を示す図柄組み合わせとメダルの払い出し枚数との関係を説明する。一般遊技状態においては、ＢＢとＲＢと再遊技とベルの小役とスイカの小役と上チリの小役と下チリの小役とに入賞する可能性がある。そして、入賞成立がＢＢやＲＢの場合、１５枚のメダルが払い出され、再遊技の場合、メダルの払い出しはない。また、ベル、スイカ、上チリ、下チリの小役の場合、それぞれ１０枚、３枚、１枚、７枚のメダルが払い出される。
【００７２】
また、ＢＢ一般遊技状態においては、ＲＢとベルの小役とスイカの小役と上チリの小役と下チリの小役とに入賞する可能性がある。そして、入賞成立がＲＢの場合、１５枚のメダルが払い出される。また、ベル、スイカ、上チリ、下チリの小役の場合、それぞれ１０枚、３枚、１枚、７枚のメダルが払い出される。またＲＢ遊技状態において、役物の入賞が成立した場合には、１５枚のメダルが払い出される。
【００７３】
（主制御回路７１の動作:メインルーチン）
上記の構成において、図１０に示すメインフローチャートを参照して、主制御回路７１のＣＰＵ３１の制御動作について説明する。
【００７４】
先ず、電源が投入されると、遊技機１は、主制御回路７１において図１０のメインルーチンを実行することによりスロットゲームを実施可能な状態になると共に、副制御回路７２において図示しない演出処理ルーチンや図１３の自動停止報知ルーチンを実行することにより液晶表示装置５の演出画像の表示等を実施可能な状態になる。
【００７５】
具体的には、主制御回路７１によりメインルーチンが実行されると、ゲーム開始時の初期化が行われた後（Ｓ１）、ゲーム終了時のＲＡＭ３３の所定の記憶内容が消去される（Ｓ２）。この後、投入メダルセンサ２２ＳやＢＥＴスイッチ１１Ｓ・１３Ｓからの入力があるまで待機状態となり、入力があったときに、メダル投入信号が副制御回路７２に送信される（Ｓ３）。そして、スタートレバー６の操作によりスタートスイッチ６Ｓがオンされたか否かが判定される（Ｓ４）。
【００７６】
スタートスイッチ６Ｓがオンされなければ（Ｓ４，ＮＯ）、Ｓ４が再実行され、スタートレバー６が操作されるまで待機状態とされる。スタートスイッチ６Ｓがオンされると（Ｓ４，ＹＥＳ）、リール回転処理に実行が移行される（Ｓ５）。そして、抽籤用の乱数が抽出され（Ｓ６）、遊技状態監視処理が実行されることによって、今回のスロットゲームにおける遊技状態が確認される（Ｓ７）。
【００７７】
今回のスロットゲームの遊技状態が確認されると、次に、自動停止役抽籤処理が実行される（Ｓ８）。即ち、図１１に示すように、自動停止役抽籤ルーチンが実行され、遊技状態が変化したか否かが判定される（Ａ１）。遊技状態が変化していなければ（Ａ１，ＮＯ）、本ルーチンを終了してメインルーチンに復帰される。一方、遊技状態が変化した場合には（Ａ１，ＹＥＳ）、自動停止役の抽籤が行われ、図８の自動停止役選択テーブルに対して選択及び非選択のデータが格納される（Ａ２）。そして、全ての自動抽籤役について選択及び非選択の抽籤が完了したか否かが判定され（Ａ３）、完了していなければ（Ａ３，ＮＯ）、Ａ２が再実行される一方、完了していれば（Ａ３，ＹＥＳ）、本ルーチンを終了してメインルーチンに復帰される。
【００７８】
図１０に示すように、上記のようにして自動停止役抽籤処理が実行されると、続いて、確率抽籤処理が行われる（Ｓ９）。この確率抽籤処理では、図示しない確率抽籤テーブルに基づいて、内部当籤役を決定する処理を行なう。内部当籤役を決定すると、停止テーブル群選択処理が実行される（Ｓ１０）。そして、リール回転停止処理が実行され（Ｓ１１）、何れかの停止ボタン７Ｌ・７Ｃ・７Ｒが操作されたタイミングや自動停止のタイミングでリールが回転されてから停止される。尚、リール回転停止処理の詳細については後述する。
【００７９】
この後、入賞判定（入賞検索）により表示窓４Ｌ・４Ｃ・４Ｒの図柄の停止態様に基づいて入賞役（入賞が成立した役）が識別され（Ｓ１２）、入賞信号が単位遊技の終了信号として副制御回路７２に出力される。そして、遊技状態に応じてメダルのクレジット又は払出しが行われる（Ｓ１３）。尚、入賞役がＢＢ又はＲＢであると判定された場合には、ＢＢ一般遊技状態又はＲＢ遊技状態の発生が行われる。
【００８０】
次に、現在の遊技状態がＢＢ一般遊技状態又はＲＢ遊技状態であるか否かが判定される（Ｓ１４）。遊技状態がＢＢ一般遊技状態又はＲＢ遊技状態である場合には（Ｓ１４，ＹＥＳ）、ボーナスの『遊技数チェック処理』が行われる（Ｓ１５）。この後、ボーナスの終了時であるか否かが判定され（Ｓ１６）、ボーナスの終了時でないと判定された場合には（Ｓ１６，ＮＯ）、Ｓ２が再実行される。一方、ボーナスの終了時であると判定された場合には（Ｓ１６，ＹＥＳ）、ボーナス終了信号が副制御回路７２に出力された後（Ｓ１７）、Ｓ２が再実行される。
【００８１】
（リール回転停止ルーチン）
メインルーチンにおけるリール回転停止処理（Ｓ１１）の詳細について説明する。図１２に示すように、先ず、自動停止タイマの作動が開始される（Ｂ１）。そして、内部当籤役が自動停止役として選択されたか否かが判定される（Ｂ２）。選択されていない場合には（Ｂ２，ＮＯ）、自動停止時間が通常時間（６０秒等）に設定された後（Ｂ５）、Ｂ６が実行される。一方、、内部当籤役が自動停止役として選択された場合には（Ｂ２，ＹＥＳ）、内部当籤役に対応した自動停止時間が取得された後（Ｂ３）、自動停止信号（自動停止役、自動停止時間等）が副制御回路７２に出力され（Ｂ４）、Ｂ６が実行される。
【００８２】
次に、自動停止時間が経過したか否かが判定される（Ｂ６）。自動停止時間が経過した場合には（Ｂ６，ＹＥＳ）、入賞不成立停止テーブル群が選択される。（Ｂ７）。そして、全リール３Ｌ・３Ｃ・３Ｒが停止された後（Ｂ８）、Ｂ１３が実行される。尚、自動停止は、自動停止時間が経過したタイミングと入賞成立可能停止テーブル群とに基づいて行われてもよい。一方、自動停止時間が経過していない場合には（Ｂ６，ＮＯ）、停止ボタン７Ｌ・７Ｃ・７Ｒが操作されたか否かが判定され（Ｂ９）、操作されなければ（Ｂ９，ＮＯ）、Ｂ６が再実行される。一方、停止ボタン７Ｌ・７Ｃ・７Ｒが操作された場合には（Ｂ６，ＹＥＳ）、停止ボタン７Ｌ・７Ｃ・７Ｒに対応したリール３Ｌ・３Ｃ・３Ｒが内部当籤役の入賞成立可能停止テーブル群に基づいて停止される（Ｂ１０）。そして、リール停止信号が副制御回路７２に出力され（Ｂ１１）、Ｂ１２が実行される。
【００８３】
次に、全リール３Ｌ・３Ｃ・３Ｒが停止したか否かが判定される（Ｂ１２）。全リール３Ｌ・３Ｃ・３Ｒが停止していなければ（Ｂ１２，ＮＯ）、Ｂ６から再実行される。一方、全リール３Ｌ・３Ｃ・３Ｒが停止した場合には（Ｂ１２，ＹＥＳ）、全リール停止信号が副制御回路７２に出力された後（Ｂ１３）、本ルーチンが終了されてメインルーチンに復帰される。尚、本実施形態においては、選択及び非選択の何れの自動停止役であっても必ず自動停止するように構成しているが、非選択の自動停止役は、回転し続ける構成にされていてもよい。
【００８４】
（副制御回路７２の動作）
上記の主制御回路７１において各種の処理が実行されると、処理に応じた結果や内容がコマンドやデータの信号として副制御回路７２に入力される。副制御回路７２においては、図示しない演出処理ルーチンや図１３の自動停止報知ルーチン等をそれぞれ独立して実行している。そして、演出処理ルーチンの実行によりコマンドに基づいた演出画像を液晶表示装置５に表示する。例えば、メダル投入を示すコマンドが入力された場合には、スタートレバー６の操作を促す演出画像等が液晶表示装置５に表示される。
【００８５】
（副制御回路７２の動作:自動停止報知ルーチン）
図１３に示すように、副制御回路７２が自動停止報知ルーチンを実行すると、先ず、自動停止信号が入力されたか否かかが判定される（Ｃ１）。入力されなければ（Ｃ１，ＮＯ）、本ルーチンが終了される。一方、入力された場合には（Ｃ１，ＹＥＳ）、自動停止信号から自動停止時間のデータが抽出され（Ｃ２）、報知タイマーの作動が開始される（Ｃ３）。この後、停止予告時間が経過したか否かが判定され（Ｃ４）、経過していなければ（Ｃ４，ＮＯ）、続いて、全リール停止信号が入力されたか否かが判定される（Ｃ５）。全リール停止信号が入力されなければ（Ｃ５，ＮＯ）、Ｃ４が再実行されることによって、停止予告時間が経過するか、全リール停止信号が入力されるまで待機状態とされる。そして、全リール停止信号が入力された場合には（Ｃ５，ＹＥＳ）、本ルーチンが終了される。また、停止予告時間が経過した場合には（Ｃ４，ＹＥＳ）、図１及び図３に示すように、自動停止を予告する演出画像１０１が表示される（Ｃ６）。
【００８６】
この後、自動停止時間が経過したか否かが判定され（Ｃ７）、経過しなければ（Ｃ７，ＮＯ）、続いて、全リール停止信号が入力されたか否かが判定される（Ｃ８）。全リール停止信号が入力されなければ（Ｃ８，ＮＯ）、Ｃ７が再実行されることによって、自動停止時間が経過するか、全リール停止信号が入力されるまで待機状態とされる。そして、全リール停止信号が入力された場合には（Ｃ８，ＹＥＳ）、本ルーチンが終了される。また、自動停止時間が経過した場合には（Ｃ７，ＹＥＳ）、図１及び図３に示すように、自動停止の結果として演出画像１０１が表示された後（Ｃ９）、本ルーチンが終了される。
【００８７】
（本実施の形態の概要）
以上のように、本実施の形態の遊技機１は、遊技を開始させる遊技開始手段（スタートレバー６、スタートスイッチ６Ｓ、１−ＢＥＴボタン１１、１−ＢＥＴスイッチ１１Ｓ、最大ＢＥＴボタン１３、最大ＢＥＴスイッチ１３Ｓ等）と、前記遊技の開始により複数の図柄を変動表示させる図柄表示手段（ステッピングモータ４９Ｌ・４９Ｃ・４９Ｒ、リール位置検出回路５０、リール３Ｌ・３Ｃ・３Ｒ等）と、前記遊技の開始と遊技状態とに基づいて内部当籤役を抽籤により決定する内部当籤役決定手段（主制御回路７１等）と、外部からの操作に基づいて停止指令信号を出力する停止操作手段（停止ボタン７Ｌ・７Ｃ・７Ｒ、リール停止信号回路４６等）と、前記停止指令信号と前記内部当籤役とに基づいて前記図柄の変動表示を停止可能な停止制御手段（主制御回路７１等）と、前記図柄の変動表示が停止された結果が所定の停止態様である場合に遊技価値を付与する遊技価値付与手段（主制御回路７１、ホッパー４０、ホッパー駆動回路４１、メダル検出部４０ｓ等）とを有しており、前記停止制御手段は、前記内部当籤役が自動停止役であるか否かを判定する判定手段（主制御回路７１、リール回転停止ルーチン等）と、前記内部当籤役が自動停止役である場合、前記遊技を開始してから所定時間の経過後に、前記図柄の変動表示を前記停止指令信号とは無関係に自動停止させる自動停止手段（主制御回路７１、リール回転停止ルーチン等）とを有する構成である。尚、図柄表示手段は、モータ等を用いた機械的な変動表示であっても、液晶表示装置等を用いた電気的な変動表示であってもよい。
【００８８】
上記の構成によれば、内部当籤役が自動停止役である場合にだけ、遊技を開始してから所定時間の経過後に、図柄の変動表示が自動停止される。これにより、不定期に自動停止されるため、遊技者においては自動停止のタイミングを把握することが困難となり、例えば停止操作手段の操作により図柄の変動表示を所定の図柄で停止させる目押し操作を行っている遊技者に対して、停止操作手段の操作を早期に完了するように促すことができる場合がある。この結果、遊技機の稼働率を向上させることができる場合があると共に、駆動機構の磨耗やモータの焼き付き等に起因した故障を引き起こし難くすることが可能になる場合がある。
【００８９】
また、本実施形態における前記自動停止手段は、前記遊技価値を付与する所定の停止態様とは異なる停止態様となるように、前記図柄の変動表示を自動停止させる構成である。
【００９０】
上記の構成によれば、自動停止によっては遊技価値が付与されないことから、一層遊技者に対して停止操作手段の操作を促すことが可能になり、ひいては、遊技機の稼働率を向上させることができると共に、駆動機構の故障を引き起こし難くすることが可能になる場合がある。
【００９１】
また、本実施形態における前記自動停止手段は、所定の条件（遊技状態の変化や電源投入時、リセット時、ホールコンピュータからの指令時等）となったときに自動停止役を再設定する役設定手段（主制御回路７１、自動停止役抽籤ルーチン等）を有する構成である。
【００９２】
上記の構成によれば、所定の条件となったときに自動停止図柄を再設定することによって、自動停止する頻度を変更することが可能になる。この結果、自動停止のタイミングの把握をより困難にすることによって、一層遊技者に対して停止操作手段の操作を促すことが可能になり、ひいては、遊技機の稼働率を向上させることができると共に、駆動機構の故障を引き起こし難くすることが可能になる場合がある。
【００９３】
また、本実施形態における前記自動停止手段は、前記自動停止するまでの前記所定時間を前記自動停止役の種類に応じて変更する構成である。上記の構成によれば、自動停止するまでの所定時間を自動停止役の種類に応じて変更することによって、自動停止するタイミングを変更することが可能になる。この結果、自動停止のタイミングの把握をより困難にすることによって、一層遊技者に対して停止操作手段の操作を促すことが可能になり、ひいては、遊技機の稼働率を向上させることができると共に、駆動機構の故障を引き起こし難くすることが可能になる場合がある。
【００９４】
（本実施の形態の変形例）
以上、本実施の形態について説明したが、本発明はこれに限定されるものではなく、遊技機は、以下の構成を上述の実施の形態における構成に加えて、或いは重複して備えていても良い。
【００９５】
即ち、遊技機は、所定の遊技結果が表示された場合に遊技者に遊技価値を付与する遊技価値付与手段と、遊技開始指令信号に基づいて所定の役を当籤役として決定する当籤役決定手段と、当籤役に基づいて入賞表示手段に入賞態様を表示させる入賞表示制御手段と、演出表示手段に遊技に関連した演出態様を表示させる演出表示制御手段と、遊技結果表示手段に特定の遊技結果が表示される以前に、特定の遊技結果が表示される可能性があることを予告表示手段に予告態様を表示させる予告表示制御手段と、遊技結果表示手段に特定の遊技結果が表示される以前に特定役蓄積手段が蓄積して記憶している特定の役を当籤役とする蓄積特定役当籤手段とを少なくとも１つ以上備えていても良い。
【００９６】
ここで、上記の『遊技結果表示手段』は、まとめると入賞表示手段、演出表示手段、告知表示手段等を含んで構成されている。それらが、別体の表示装置であっても良いし、単一の表示装置に設けられた所定の表示部（スプライト、深度の異なる３Ｄオブジェクト）でも良い。また、重なって表示されても良い。さらには、１又は複数の音、１又は複数の光、１又は複数の色、１又は複数の画像、１又は複数の臭い等、１又は複数の感触（振動、圧力）のうちの何れか、複数又は全部により遊技者に報知を行なうようになっていても良い。
【００９７】
『遊技価値付与手段』は、遊技価値（コイン）を付与（払出）するプログラム等、有利状態発生手段を含み、賞媒体の払出、磁気カードへの記録、ゲームの得点加算も含む。
【００９８】
『表示制御手段』は、まとめると入賞表示制御手段、演出表示制御手段、告知表示制御手段等を含んで構成されている。単一の基板に設けられていても、別体の複数の基板に設けられても良いし、入賞表示制御手段は当籤役決定手段と同一の基板に設けられても良い。（別体でも良い。）さらには、演出表示制御手段及び告知表示制御手段は、当籤役決定手段と別体の基板に設けられても良い。（別体でも良い。）
【００９９】
『入賞表示手段』は、静止画像・動画像等を表示するものであり、リールやディスクによる移動表示、複数種類の図柄を可変表示または停止表示する１又は複数の図柄表示部から構成されている。例えばパチスロ機やビデオスロットの図柄、パチンコの特図、音図、判定図柄等を表示する。また、遊技結果として、特定の入賞態様を表示すれば何でも良い。
【０１００】
『表示停止指令手段』は、演出表示手段、入賞表示手段、告知表示手段等のうちの１つ、複数、全ての可変表示を停止させる信号を出力しても良いし、１つ又は複数の表示部に対応して１つ設けられていても良い（表示部は、図柄表示部等）。或いは、１つの表示部に対応して複数設けられていても良い（表示部は、図柄表示部等）。
【０１０１】
『有利状態発生手段』は、複数の遊技単位の間、継続して遊技者に有利な状態が続けば何でも良い。例えば発生判定、継続判定、途中終了判定、発生、継続、終了等を行なうプログラム等である。また、『当籤役決定手段』は、当籤役抽籤手段、当籤役持越手段、特定役蓄積手段、蓄積特定役当籤手段等から構成されている。
【０１０２】
尚、本実施の形態において、『遊技機』は、パチスロ機、スロットマシン、ビデオスロット等を含む。『遊技結果』は、入賞態様、外れ態様、演出態様、告知態様等を含む。『特定の入賞態様』は、特定の図柄の表示（『３』、『７』等）や特定の図柄の組合せの表示（『７７７』『７７６』等）、複数の図柄うちに特定の図柄が含まれている（上チリ、デカチリ等）等を含む。
【０１０３】
『外れ態様』は、入賞表示手段に表示される入賞態様以外の態様、演出態様、告知態様等を含む。『所定の遊技結果』は、入賞態様等を含む。『演出態様』は、客待ち中、遊技中、遊技間、入賞（前、中、後）、有利状態（前、中、後）等を盛り上げる態様、または、それらの遊技情報（遊技案内）の報知態様、その他の態様等を含み、『大当り』、『ボーナス』、『外れ』、有利状態の継続数等の文字も含む。
【０１０４】
『予告態様』は、所定の当籤役または特定の当籤役が決定されている可能性があることを遊技者に対して予告する態様や外れを予告する態様、また、その演出態様を含む。『外れ？』、『ベル？』、『大当り当籤？』、『ボーナス当籤？』、『遊技手順ナビゲート機能当籤？』等の文字も含む。『告知態様』は、所定の当籤役または特定の当籤役が決定されていることを遊技者に対して告知する態様や、所定の当籤役または特定の当籤役が決定されていないことを遊技者に対して告知する態様を含む。また、その演出態様。『大当り確定』、『ボーナス確定』、『外れ確定』、『ベル確定』、『遊技手順ナビゲート機能当籤？』等の文字も含む。
【０１０５】
『態様』は、１又は複数の図柄（動／静止）画像、１又は複数のキャラクタ（動／静止）画像、１又は複数の背景（動／静止）画像、１又は複数の吹出し（動／静止）画像、１又は複数の文字、１図形、１又は複数の可動物の所定の動作等、１又は複数のランプの点灯、点滅等、１又は複数のスピーカの音等を含む。『遊技情報』は、遊技コンセプト（背景）、遊技のルール、操作説明、リーチ目、チャンス目、役・リプレイの説明、有利状態（ＢＢ，ＲＢ，ＳＢ等）の説明、有利状態（ＢＢ，ＲＢ等）、確率、所定時点（ボーナス、ＢＢ，ＲＢ、所定操作等）からの経過ゲーム数等を含む。
【０１０６】
『遊技開始指令手段』は、スタートレバー、スピンボタン等のスイッチ、遊技媒体投入、図柄始動口（ゲート）等を含む。『表示停止指令手段』は、ボタン、レバー、プログラム（計時手段）等を含む。『図柄表示手段』は、ＣＲＴ、ＬＣＤ、プラズマディスプレイ、７セグ、ドットマトリックス、ランプ、ＬＥＤ、蛍光灯、ＥＬ、電子ペーパ、フレキシブルＬＥＤ、フレキシブル液晶、液晶プロジェクタ、リール、ディスク、可動物等。それらが複数、それらの組合せ等を含む。
【０１０７】
『当籤役』は、複数の役から当籤役決定手段により当籤役として決定された１または複数の役を含む。『入賞役』は、当籤役に対応する入賞態様が表示された役を含む。『遊技価値』は、賞媒体（コイン、メダル、遊技球）の払出し、遊技結果記憶媒体（磁気カード等）への所定の書き込み、リプレイ、得点の加算、有利状態の発生等を含む。『遊技媒体（賞媒体）』は、コイン、メダル、遊技球、貨幣、紙幣、磁気カード等を含む。
【０１０８】
また、パチスロ等における役は、次のうちの１または複数を適用しても良い。外れ、所定枚数の賞媒体を払出す小役、当籤役決定手段が小役を当籤役と決定する確率を１単位遊技の間だけ高確率とするシングルボーナス、当籤役決定手段が小役を当籤役と決定する確率を複数単位遊技の間だけ高確率とするレギュラーボーナス、当籤役決定手段がレギュラーボーナスを当籤役と決定する確率を複数単位遊技の間だけ高確率とするビッグボーナス、当籤役決定手段が決定した当籤役に関する情報を遊技者による表示停止指令手段の操作より以前に報知する当籤役ナビゲート機能。停止パターン選択手段が選択した停止パターンに関する情報を遊技者による表示停止指令手段の操作より以前に報知する押順ナビゲート機能。遊技者にとって有利となる遊技手順を報知する遊技手順ナビゲート機能。
【０１０９】
例えば、上述の当籤役ナビゲート機能、左リール、中リール、右リールに対応する左、中、右リール停止ボタンを停止操作する以前に報知されるリール停止パターン（例えば、最初に左リールを停止し、次に中リールを停止、最後に右リールを停止するパターン、同様に左リール停止→右リール停止→中リール停止のパターン、中リール停止→右リール停止→左リール停止のパターン、中リール停止→左リール停止→右リール停止のパターン、右リール停止→左リール停止→中リール停止のパターン、右リール停止→中リール停止→左リール停止のパターン）の６種類等にしたがって、左、中、右リール停止ボタンを停止操作することで入賞表示手段に所定の入賞態様が得られるリール停止ナビゲート機能等。リール停止ナビゲート機能は全てのリール（リール以外で図柄を可変表示する画像表示手段も含まれる）の停止順序をナビゲートしなくても、所定回目（例えば、最初、２番目、３番目等）に停止させるリールを遊技者に報知するようなナビゲート機能も含む。また、所定回目に停止させるリールに所定の図柄が表示されている状態でリールを停止させた場合に入賞表示手段に所定の入賞態様が得られるものも含む。遊技者による表示停止指令手段からの停止指令信号の出力から最小移動（又は略最小変動）で図柄を停止させる機能。遊技媒体の投入無しで１単位遊技の遊技を開始できるリプレイ。
【０１１０】
また、１回の単位遊技は、例えば次のようなもののうち何れかを適用しても良い。遊技開始指令手段からの遊技開始指令信号の出力から遊技結果の表示まで。スタートレバーの操作から入賞表示手段（所定の表示手段）に遊技結果が表示されるまで。スタートレバーの操作から所定の表示手段に特定の表示（例えば、特定の文字情報、特定のキャラクタ、特定の画像）が表示されるまで。ベットボタンが遊技者により操作されたこと、または遊技媒体が遊技者により投入されたこと、等により遊技開始指令信号を出力するように構成し、ベットボタンの操作または遊技媒体の投入から入賞表示手段に遊技結果が表示されるまで。ベットボタンが遊技者により操作されたこと、または遊技媒体が遊技者により投入されたこと、等により遊技開始指令信号を出力するように構成し、ベットボタンの操作または遊技媒体の投入から所定の表示手段に特定の表示が表示されるまで。遊技開始指令信号を出力する図柄始動手段が遊技媒体（例えば遊技球）の投入または通過を検出してから入賞表示手段（所定の表示手段）に遊技結果が表示されるまで。遊技開始指令信号を出力する図柄始動手段が遊技媒体の投入または通過を検出してから所定の表示手段に特定の表示（例えば、特定の文字情報、特定のキャラクタ、特定の画像）が表示されるまで。また、複数単位遊技は、連続的または間欠的な複数回の単位遊技を適用しても良い。
【０１１１】
さらに、本発明は、上述のパチスロ機やパチンコ遊技機等の実機の他、これらのパチスロ機等の実機の動作を家庭用ゲーム機用として擬似的に実行するようなゲームプログラムにおいても、本発明を適用して遊技を実行することができる。その場合、ゲームプログラムを記録する記録媒体は、ＤＶＤ−ＲＯＭ、ＣＤ−ＲＯＭ、ＦＤ（フレキシブルディスク）、その他任意の記録媒体を利用できる。
【０１１２】
以上、本発明の実施例を説明したが、具体例を例示したに過ぎず、特に本発明を限定するものではなく、具体的構成などは、適宜設計変更可能である。尚、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【図面の簡単な説明】
【０１１３】
【図１】本実施の形態に係るパチスロ機の斜視図。
【図２】液晶表示装置の概略構成を示す斜視図。
【図３】演出画像の説明図。
【図４】主制御回路の構成を示すブロック図。
【図５】副制御回路の構成を示すブロック図。
【図６】遊技状態と当籤役と停止テーブル群との関係を示す図。
【図７】遊技状態と当籤役と停止テーブル群との関係を示す図。
【図８】自動停止役選択テーブルの説明図。
【図９】自動停止時間設定テーブルの説明図。
【図１０】メインルーチンのフローチャート。
【図１１】自動停止役抽籤ルーチンのフローチャート。
【図１２】リール回転停止ルーチンのフローチャート。
【図１３】自動停止報知ルーチンのフローチャート。
【符号の説明】
【０１１４】
１  遊技機
３Ｌ・３Ｃ・３Ｒ  リール
５  液晶表示装置
６  スタートレバー
７Ｌ・７Ｃ・７Ｒ  停止ボタン
１１  １−ＢＥＴボタン
１３  最大ＢＥＴボタン
４０  ホッパー
４１  ホッパー駆動回路
４６  リール停止信号回路
４９Ｌ・４９Ｃ・４９Ｒ  ステッピングモータ
５０  リール位置検出回路
７１  主制御回路
７２  副制御回路
【図１】
2007275097.tif 000003
【図２】
2007275097.tif 000004
【図３】
2007275097.tif 000005
【図４】
2007275097.tif 000006
【図５】
2007275097.tif 000007
【図６】
2007275097.tif 000008
【図７】
2007275097.tif 000009
【図８】
2007275097.tif 000010
【図９】
2007275097.tif 000011
【図１０】
2007275097.tif 000012
【図１１】
2007275097.tif 000013
【図１２】
2007275097.tif 000014
【図１３】
2007275097.tif 000015